(57)【要約】  本開示は、キャリアの探索空間の決定方法、端末及びネットワーク機器を提供する。キャリアの探索空間の決定方法において、クロスキャリアスケジューリングに設定された場合、ネットワーク機器によって設定されたスケジューリングキャリアの探索空間及びスケール因子に基づいて、スケジューリングキャリア以外のキャリアの探索空間を決定することを含む。【選択図】図１
2022502951.tif 000002
【特許請求の範囲】
【請求項１】
端末に応用されるキャリアの探索空間の決定方法であって、
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定することを含む、キャリアの探索空間の決定方法。
【請求項２】
前記スケール因子は、
異なるサブキャリア上の端末のブラインド検出能力、及び／又は、スケジューリングキャリアと被スケジューリングキャリアのサブキャリア間隔の比例関係によって決定される、請求項１に記載のキャリアの探索空間の決定方法。
【請求項３】
前記スケール因子Ｋは、
2022502951.tif 000051
り、
ここで、
Ｍｃａｐ，ｓｃｈｅｄｕｌｅｄは、被スケジューリングキャリア上の端末のブラインド検出能力であり、
Ｍｃａｐ，ｓｃｈｅｄｕｌｉｎｇは、スケジューリングキャリア上の端末のブラインド検出能力であり、
2022502951.tif 000052
リアの探索空間の決定方法。
【請求項４】
前記スケール因子Ｋは、
2022502951.tif 000053
ここで、
Ｍｃａｐ，ｓｃｈｅｄｕｌｅｄは、被スケジューリングキャリア上の端末のブラインド検出能力であり、
Ｍｃａｐ，ｓｃｈｅｄｕｌｉｎｇは、スケジューリングキャリア上の端末のブラインド検出能力であり、
ＳＣＳｓｃｈｅｄｕｌｅｄは、被スケジューリングキャリア上のサブキャリア間隔であり、
ＳＣＳｓｃｈｅｄｕｌｉｎｇは、スケジューリングキャリア上のサブキャリア間隔であり、
2022502951.tif 000054
リアの探索空間の決定方法。
【請求項５】
ネットワーク機器によってスケジューリングキャリアに対して設定された探索空間及びスケール因子に基づいて、前記スケジューリングキャリア以外のキャリアの探索空間を決定することは、
ネットワーク機器によってスケジューリングキャリアに対して設定された探索空間及びスケール因子に基づいて、被スケジューリングキャリアの探索空間を決定することを含む、請求項１に記載のキャリアの探索空間の決定方法。
【請求項６】
ネットワーク機器によってスケジューリングキャリアに対して設定された探索空間及びスケール因子に基づいて、被スケジューリングキャリアの探索空間を決定することは、
スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、
被スケジューリングキャリアの探索空間内の各アグリゲーションレベルに含まれる候補ＰＤＣＣＨの数に基づいて、被スケジューリングキャリアの探索空間を形成することとを含む、請求項５に記載のキャリアの探索空間の決定方法。
【請求項７】
スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000055
グキャリアの各アグリゲーションレベルに含まれる候補ＰＤＣＣＨの数を決定することを含み、
ここで、ＡＬＹ，ｓｃｈｅｄｕｌｅｄは、被スケジューリングキャリアの各アグリゲーションレベルに含まれる候補ＰＤＣＣＨの数であり、
Ｋは、スケジューリングキャリアのスケール因子であり、
2022502951.tif 000056
リアの探索空間の決定方法。
【請求項８】
ＡＬＹ，ｓｃｈｅｄｕｌｉｎｇ≠０の場合、ＡＬＹ，ｓｃｈｅｄｕｌｅｄの最小値は、１である、請求項７に記載のキャリアの探索空間の決定方法。
【請求項９】
前記スケジューリングキャリアの探索空間は、被スケジューリングキャリアの探索空間よりも大きい、請求項１に記載のキャリアの探索空間の決定方法。
【請求項１０】
キャリア指示フィールドＣＩＦの値に基づいて、前記スケジュールキャリアの探索空間における前記被スケジュールキャリアの探索空間の開始位置を決定する、請求項９に記載のキャリアの探索空間の決定方法。
【請求項１１】
前記被スケジュールキャリアの探索空間内で前記被スケジューリングキャリアの物理下り制御チャネルＰＤＣＣＨを傍受することを更に含む、請求項１に記載のキャリアの探索空間の決定方法。
【請求項１２】
ネットワーク機器に応用されるキャリアの探索空間の決定方法であって、
端末に対してクロスキャリアスケジューリングに設定した場合、端末に対して設定したスケジューリングキャリアの探索空間及びスケール因子に基づいて、前記スケジューリングキャリア以外のキャリアの探索空間を決定することを含む、キャリアの探索空間の決定方法。
【請求項１３】
前記スケール因子は、
異なるサブキャリア上の端末のブラインド検出能力、及び／又は、スケジューリングキャリアと被スケジューリングキャリアのサブキャリア間隔の比例関係によって決定される、請求項１２に記載のキャリアの探索空間の決定方法。
【請求項１４】
前記スケール因子Ｋは、
2022502951.tif 000057
り、
ここで、
Ｍｃａｐ，ｓｃｈｅｄｕｌｅｄは、被スケジューリングキャリア上の端末のブラインド検出能力であり、
Ｍｃａｐ，ｓｃｈｅｄｕｌｉｎｇは、スケジューリングキャリア上の端末のブラインド検出能力であり、
2022502951.tif 000058
ャリアの探索空間の決定方法。
【請求項１５】
前記スケール因子Ｋは、
2022502951.tif 000059
2022502951.tif 000060
ここで、
Ｍｃａｐ，ｓｃｈｅｄｕｌｅｄは、被スケジューリングキャリア上の端末のブラインド検出能力であり、
Ｍｃａｐ，ｓｃｈｅｄｕｌｉｎｇは、スケジューリングキャリア上の端末のブラインド検出能力であり、
ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリア上のサブキャリア間隔であり、
2022502951.tif 000061
ャリアの探索空間の決定方法。
【請求項１６】
端末に対して設定したスケジューリングキャリアの探索空間及びスケール因子に基づいて、前記スケジューリングキャリア以外のキャリアの探索空間を決定することは、
端末に対して設定したスケジューリングキャリアの探索空間及びスケール因子に基づいて、被スケジューリングキャリアの探索空間を決定することを含む、請求項１２に記載のキャリアの探索空間の決定方法。
【請求項１７】
端末に対して設定したスケジューリングキャリアの探索空間及びスケール因子に基づいて、被スケジューリングキャリアの探索空間を決定することは、
スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、
被スケジューリングキャリアの探索空間内の各アグリゲーションレベルに含まれる候補ＰＤＣＣＨの数に基づいて、被スケジューリングキャリアの探索空間を形成することとを含む、請求項１６に記載のキャリアの探索空間の決定方法。
【請求項１８】
スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000062
グキャリアの各アグリゲーションレベルに含まれる候補ＰＤＣＣＨの数を決定することを含み、
ここで、ＡＬＹ，ｓｃｈｅｄｕｌｅｄは、被スケジューリングキャリアの各アグリゲーションレベルに含まれる候補ＰＤＣＣＨの数であり、
Ｋは、スケジューリングキャリアのスケール因子であり、
2022502951.tif 000063
ャリアの探索空間の決定方法。
【請求項１９】
ＡＬＹ，ｓｃｈｅｄｕｌｉｎｇ≠０の場合、ＡＬＹ，ｓｃｈｅｄｕｌｅｄの最小値は、１である、請求項１８に記載のキャリアの探索空間の決定方法。
【請求項２０】
前記スケジューリングキャリアの探索空間は、被スケジューリングキャリアの探索空間よりも大きい、請求項１２に記載のキャリアの探索空間の決定方法。
【請求項２１】
キャリア指示フィールドＣＩＦの値に基づいて、前記スケジュールキャリアの探索空間における前記被スケジュールキャリアの探索空間の開始位置を決定する、請求項２０に記載のキャリアの探索空間の決定方法。
【請求項２２】
前記被スケジュールキャリアの探索空間内で前記被スケジューリングキャリアの物理下り制御チャネルＰＤＣＣＨを送信することを更に含む、請求項１２に記載のキャリアの探索空間の決定方法。
【請求項２３】
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定するプロセッサを含む、端末。
【請求項２４】
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する処理モジュールを含む、キャリアの探索空間の決定装置。
【請求項２５】
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する機能を実行するように設定されたプロセッサを含む、端末。
【請求項２６】
端末に対してクロスキャリアスケジューリングに設定した場合、端末に対して設定したスケジューリングキャリアの探索空間及びスケール因子に基づいて、前記スケジューリングキャリア以外のキャリアの探索空間を決定するプロセッサを含む、ネットワーク機器。
【請求項２７】
端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む、ビーム数設定装置。
【請求項２８】
端末に対してクロスキャリアスケジューリングに設定した場合、端末に対して設定したスケジューリングキャリアの探索空間及びスケール因子に基づいて、前記スケジューリングキャリア以外のキャリアの探索空間を決定する機能を実行するように設定されたプロセッサを含む、ネットワーク機器。
【請求項２９】
コマンドを含むコンピュータ記憶媒体であって、
前記コマンドがプロセッサで実行されると、請求項１〜１１のいずれか１項に記載の方法又は１２〜２２のいずれか１項に記載の方法をプロセッサに実行させる、コンピュータ記憶媒体。
【発明の詳細な説明】
【技術分野】
【０００１】  （関連出願の相互参照）
本願は、２０１８年９月２９日に中国特許庁に提出された中国特許出願２０１８１１１４６０９９．０の優先権を主張し、その全ての内容が援用によりここに取り込まれる。
本開示は、通信技術分野に係り、特にキャリアの探索空間の決定方法、端末及びネットワーク機器に係る。
【背景技術】
【０００２】  ＬＴＥシステムにおいて、クロスキャリアスケジューリングが設定される場合、端末は、上位層シグナリングによって設定されたｓｃｈｅｄｕｌｉｎｇ  ｃｅｌｌ  Ｉ（スケジューリングセルＩ）に基づいて、どのセルで自身の物理下り制御情報ＰＤＣＣＨ（Ｐｈｙｓｉｃａｌ  Ｄｏｗｎｌｉｎｋ  Ｃｏｎｔｒｏｌ  Ｃｈａｎｎｅｌ）を傍受するかを決定し、キャリア指示フィールドＣＩＦ（Ｃａｒｒｉｅｒ  Ｉｎｄｉｃａｔｏｒ  Ｆｉｅｌｄ）により探索空間のリソース位置を決定する。【０００３】  現在のクロスキャリアスケジューリングシナリオでは、被スケジューリングキャリアの探索空間サイズは、スケジューリングキャリアの探索空間サイズと同じでなければならない。しかしながら、異なるキャリアのｎｕｍｅｒｏｌｏｇｙ（パラメータセット）が異なること、及び異なるキャリア上のスケジューリング要件が異なることを考慮すると、いずれも同じ探索空間サイズを設定する場合、ネットワーク設定の柔軟性が制限される。【０００４】  ５Ｇ移動通信システムでは、異なるサブキャリア間隔のクロスキャリアスケジューリングをサポートする必要があり、即ち、スケジューリングキャリアと被スケジューリングキャリアとは、異なるサブキャリア間隔を有することがある。サブキャリア間隔が異なると、端末に対応するブラインド検出能力が異なる。基地局は、システムスケジューリング状況及び端末のブラインド検出能力に基づいて、異なるスケジューリングキャリアに対して異なるサイズの探索空間を設定すべきである。異なるスケジューリングキャリアに異なるサイズの探索空間をどのように設定するかは、現在のところ明確な方法がない。
【発明の概要】
【発明が解決しようとする課題】
【０００５】  本開示の実施例は、キャリアの探索空間の決定方法、端末及びネットワーク機器を提供する。追加的なシグナリングオーバーヘッドの導入を必要とせずに、柔軟な探索空間設定を実現する。
【課題を解決するための手段】
【０００６】  以上の技術問題を解決するために、本開示の実施例は、以下の技術手段を提供する。【０００７】  端末に応用されるキャリアの探索空間の決定方法であって、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定することを含む。【０００８】  ここで、前記スケール因子は、異なるサブキャリア上の端末のブラインド検出能力、及び／又は、スケジューリングキャリアと被スケジューリングキャリアのサブキャリア間隔の比例関係によって決定される。【０００９】  前記スケール因子Ｋは、
2022502951.tif 000003
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000004
とを示す。【００１０】  ここで、前記スケール因子Ｋは、
2022502951.tif 000005
ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリ
2022502951.tif 000006
を示す。【００１１】  ここで、ネットワーク機器によってスケジューリングキャリアに対して設定された探索空間及びスケール因子に基づいて、前記スケジューリングキャリア以外のキャリアの探索空間を決定することは、ネットワーク機器によってスケジューリングキャリアに対して設定された探索空間及びスケール因子に基づいて、被スケジューリングキャリアの探索空間を決定することを含む。【００１２】  ここで、ネットワーク機器によってスケジューリングキャリアに対して設定された探索空間及びスケール因子に基づいて、被スケジューリングキャリアの探索空間を決定することは、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、被スケジューリングキャリアの探索空間内の各アグリゲーションレベルに含まれる候補ＰＤＣＣＨの数に基づいて、被スケジューリングキャリアの探索空間を形成することとを含む。【００１３】  ここで、スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000007
グキャリアの各アグリゲーションレベルに含まれる候補ＰＤＣＣＨの数を決定することを含み、ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアの
2022502951.tif 000008
【００１４】  ここで、ＡＬＹ，ｓｃｈｅｄｕｌｉｎｇ≠０の場合、ＡＬＹ，ｓｃｈｅｄｕｌｅｄの最小値は、１である。【００１５】  ここで、前記スケジューリングキャリアの探索空間は、被スケジューリングキャリアの探索空間よりも大きい。【００１６】  ここで、キャリア指示フィールドＣＩＦの値に基づいて、前記スケジュールキャリアの探索空間における前記被スケジュールキャリアの探索空間の開始位置を決定する。【００１７】  ここで、キャリアの探索空間の決定方法は、前記被スケジュールキャリアの探索空間内で前記被スケジューリングキャリアの物理下り制御チャネルＰＤＣＣＨを傍受することを更に含む。【００１８】  本開示の実施例は、ネットワーク機器に応用されるキャリアの探索空間の決定方法を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定することを含む。【００１９】  ここで、前記スケール因子は、異なるサブキャリア上の端末のブラインド検出能力、及び／又は、スケジューリングキャリアと被スケジューリングキャリアのサブキャリア間隔の比例関係によって決定される。【００２０】  ここで、前記スケール因子Ｋは、
2022502951.tif 000009
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000010
とを示す。【００２１】  ここで、前記スケール因子Ｋは、
2022502951.tif 000011
Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリア上のサブ
2022502951.tif 000012
【００２２】  ここで、端末に対して設定したスケジューリングキャリアの探索空間及びスケール因子に基づいて、前記スケジューリングキャリア以外のキャリアの探索空間を決定することは、端末に対して設定したスケジューリングキャリアの探索空間及びスケール因子に基づいて、被スケジューリングキャリアの探索空間を決定することを含む。【００２３】  ここで、端末に対して設定したスケジューリングキャリアの探索空間及びスケール因子に基づいて、被スケジューリングキャリアの探索空間を決定することは、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、被スケジューリングキャリアの探索空間内の各アグリゲーションレベルに含まれる候補ＰＤＣＣＨの数に基づいて、被スケジューリングキャリアの探索空間を形成することとを含む。【００２４】  ここで、スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000013
グキャリアの各アグリゲーションレベルに含まれる候補ＰＤＣＣＨの数を決定することを含み、ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアの
2022502951.tif 000014
【００２５】  ここで、ＡＬＹ，ｓｃｈｅｄｕｌｉｎｇ≠０の場合、ＡＬＹ，ｓｃｈｅｄｕｌｅｄの最小値は、１である。【００２６】  ここで、前記スケジューリングキャリアの探索空間は、被スケジューリングキャリアの探索空間よりも大きい。【００２７】  ここで、キャリア指示フィールドＣＩＦの値に基づいて、前記スケジュールキャリアの探索空間における前記被スケジュールキャリアの探索空間の開始位置を決定する。【００２８】  ここで、キャリアの探索空間の決定方法は、前記被スケジュールキャリアの探索空間内で前記被スケジューリングキャリアの物理下り制御チャネルＰＤＣＣＨを送信することを更に含む。【００２９】  本開示の実施例は、端末を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定するプロセッサを含む。【００３０】  本開示の実施例は、キャリアの探索空間の決定装置を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する処理モジュールを含む。【００３１】  本開示の実施例は、端末を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する機能を実行するように設定されたプロセッサを含む。【００３２】  本開示の実施例は、ネットワーク機器を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定するプロセッサを含む。【００３３】  本開示の実施例は、ビーム数設定装置を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む。【００３４】  本開示の実施例は、ネットワーク機器を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する機能を実行するように設定されたプロセッサを含む。【００３５】  本開示の実施例は、コマンドを含むコンピュータ記憶媒体を更に提供し、前記コマンドがプロセッサで実行されると、上記方法をプロセッサに実行させる。
【発明の効果】
【００３６】  本開示の上記実施例において、異なるキャリアのサブキャリア間隔及び異なるキャリア上の端末のブラインド検出能力に基づいて、被スケジューリングキャリアの探索空間サイズを決定することができ、追加的なシグナリングオーバーヘッドの導入を必要とせずに、柔軟な探索空間設定を実現する。
【図面の簡単な説明】
【００３７】
【図１】本開示の端末側のキャリアの探索空間の決定方法のフローチャートである。
【図２】本開示のキャリアの探索空間の決定方法の１つの実現方式である。
【図３】本開示のキャリアの探索空間の決定方法の別の実現方式である。
【図４】本開示のネットワーク機器側のキャリアの探索空間の決定方法のフローチャートである。
【図５】本開示の端末のアーキテクチャ―図である。
【図６】本開示のネットワーク機器のアーキテクチャ―図である。
【発明を実施するための形態】
【００３８】  以下、添付図面を参照して本開示の例示的な実施例を更に詳細に記載する。本開示の例示的な実施例を図面に示しているが、本開示は、ここで説明した実施例に限定されることなく様々な形態で実現されることが理解されるべきである。これらの実施例を示すことは、本開示をより徹底的に理解してもらい、本開示の範囲を当業者に全面的に伝えるためである。
【００３９】  図１に示すように、本開示の実施例は、端末に応用されるキャリアの探索空間の決定方法を提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定するステップ１１を含む。
【００４０】  ここで、前記スケール因子は、異なるサブキャリア上の端末のブラインド検出能力、及び／又は、スケジューリングキャリアと被スケジューリングキャリアのサブキャリア間隔の比例関係によって決定される。
【００４１】  前記スケール因子Ｋは、
2022502951.tif 000015
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000016
とを示す。
【００４２】  ここで、前記スケール因子Ｋは、
2022502951.tif 000017
ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリ
2022502951.tif 000018
を示す。
【００４３】  本開示の１つの具体的な実施例において、上記ステップ１１は、ネットワーク機器によってスケジューリングキャリアに対して設定された探索空間及びスケール因子に基づいて、被スケジューリングキャリアの探索空間を決定するステップ１１１を含む。
【００４４】  具体的には、ステップ１１１は、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定するステップ１１１１と、被スケジューリングキャリアの探索空間内の各アグリゲーションレベルに含まれる候補ＰＤＣＣＨの数に基づいて、被スケジューリングキャリアの探索空間を形成するステップ１１１２とを含む。
【００４５】
2022502951.tif 000019
グキャリアの各アグリゲーションレベルに含まれる候補ＰＤＣＣＨの数を決定する。ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアのスケール因
2022502951.tif 000020
【００４６】  ここで、ＡＬＹ，ｓｃｈｅｄｕｌｉｎｇ≠０の場合、ＡＬＹ，ｓｃｈｅｄｕｌｅｄの最小値は、１である。
【００４７】  本開示の１つの具体的な実施例において、前記スケジューリングキャリアの探索空間は、被スケジューリングキャリアの探索空間よりも大きい。スケジューリングキャリアと被スケジューリングキャリアのサブキャリア間隔は、限定されない。即ち、スケジューリングキャリアのサブキャリア間隔は、被スケジューリングキャリアのサブキャリア間隔よりも大きくてもよく、小さくてもよい。
【００４８】  ここで、キャリア指示フィールドＣＩＦの値に基づいて、前記スケジュールキャリアの探索空間における前記被スケジュールキャリアの探索空間の開始位置を決定する。上記方法により決定されたスケール因子に基づいて、対応する探索空間のサイズを決定する。
【００４９】  本開示の１つの具体的な実施例において、キャリアの探索空間の決定方法は、前記被スケジュールキャリアの探索空間内で前記被スケジューリングキャリアの物理下り制御チャネルＰＤＣＣＨを傍受するステップ１２を更に含む。
【００５０】  以下、具体的な例を参照しながら上記実施例の具体的な実現過程を説明する。
【００５１】  例１：図２に示すように、基地局が端末に対して３つのキャリアＣＣ＃１、ＣＣ＃２、ＣＣ＃３を設定し、且つ基地局がＣＣ＃１上でＣＣ＃２とＣＣ＃３をスケジューリングするとする。ＣＣ１＃のサブキャリア間隔を１５ｋＨｚ、ＣＣ＃２を３０ｋＨｚ、ＣＣ＃３を６０ｋＨｚとする。
【００５２】  これに対し、ＣＣ１における端末のブラインド検出能力は、４４回ＢＤであり、ＣＣ＃２におけるブラインド検出能力は、３６であり、ＣＣ＃３におけるブラインド検出能力は、２２である。
【００５３】  基地局がＣＣ＃１上のデータ伝送に設定した探索空間を、１個のＡＬ＝１６のＰＤＣＣＨ  ｃａｎｄｉｄａｔｅ（候補ＰＤＣＣＨ）、２個のＡＬ＝８のＰＤＣＣＨ  ｃａｎｄｉｄａｔｅ、４個のＡＬ＝４のＰＤＣＣＨ  ｃａｎｄｉｄａｔｅ、４個のＡＬ＝２のＰＤＣＣＨ  ｃａｎｄｉｄａｔｅ、６個のＡＬ＝１のＰＤＣＣＨ  ｃａｎｄｉｄａｔｅとする。即
ＳＳｓｃｈｅｄｕｌｉｎｇ＝｛１  ＡＬ１６，２ＡＬ８，４ＡＬ４，４ＡＬ２，６ＡＬ１｝
ち。
【００５４】  基地局は、ＣＣ＃２及びＣＣ＃３の探索空間ＳＳｓｃｈｅｄｕｌｅｄ，２及びＳＳｓｃｈｅｄｕｌｅｄ，３を決定する際に、スケジューリングキャリアＣＣ＃１に設定された探索空間サイズ及びスケール因子Ｋに基づいて、両者のサイズ、即ち、含まれるアグリゲーションレベル及び各アグリゲーションレベルに含まれるＰＤＣＣＨ  ｃａｎｄｉｄａｔｅ数を決定する。
【００５５】  前記スケール因子は、以下の式で決定される。
キャリアＣＣ＃２のスケール因子Ｋ２について、
2022502951.tif 000021
キャリアＣＣ＃３のスケール因子Ｋ３について、
2022502951.tif 000022
それに対し、ＣＣ＃２に対応する探索空間ＳＳｓｃｈｅｄｕｌｅｄ，２は、
2022502951.tif 000023
又は
2022502951.tif 000024
ＣＣ＃３に対応する探索空間ＳＳｓｃｈｅｄｕｌｅｄ，３は、
2022502951.tif 000025
又は、
2022502951.tif 000026
【００５６】  ＣＣ＃２及びＣＣ＃３の具体的なリソース位置は、上位層シグナリングによって通知されるキャリア指示によって決定されてもよい。端末は、上記のように決定された探索空間内で、異なるキャリアをスケジューリングするＰＤＣＣＨを傍受する。
【００５７】  上記のスケール因子は、切り上げ又は切り下げによって得ることができるが、本開示の実施例では、これに限定されない。
【００５８】  例２：図３に示すように、基地局が端末に対して３つのキャリアＣＣ＃１、ＣＣ＃２、ＣＣ＃３を設定し、且つ基地局がＣＣ＃１上でＣＣ＃２とＣＣ＃３をスケジューリングするとする。ＣＣ１＃のサブキャリア間隔を１５ｋＨｚ、ＣＣ＃２を３０ｋＨｚ、ＣＣ＃３を６０ｋＨｚとする。
【００５９】  これに対し、ＣＣ１＃における端末のブラインド検出能力は、４４回ＢＤであり、ＣＣ＃  ２におけるブラインド検出能力は、３６であり、ＣＣ＃３におけるブラインド検出能力は、２２である。
【００６０】  基地局がＣＣ＃１上のデータ伝送に設定した探索空間を、１個のＡＬ＝１６のＰＤＣＣＨ  ｃａｎｄｉｄａｔｅ、２個のＡＬ＝８のＰＤＣＣＨ  ｃａｎｄｉｄａｔｅ、４個のＡＬ＝４のＰＤＣＣＨ  ｃａｎｄｉｄａｔｅ、４個のＡＬ＝２のＰＤＣＣＨ  ｃａｎｄｉｄａｔｅ、６個のＡＬ＝１のＰＤＣＣＨ  ｃａｎｄｉｄａｔｅとする。即ち
ＳＳｓｃｈｅｄｕｌｉｎｇ＝｛１  ＡＬ１６，２ＡＬ８，４ＡＬ４，４ＡＬ２，６ＡＬ１｝。
【００６１】  基地局は、ＣＣ＃２とＣＣ＃３のデータスケジューリングの探索空間
ＳＳｓｃｈｅｄｕｌｅｄ，２とＳＳｓｃｈｅｄｕｌｅｄ，３を決定する際に、スケジューリングキャリアＣＣ＃１に設定された探索空間サイズとスケール因子Ｋに基づいて、両者のサイズ、即ち、含まれるアグリゲーションレベルと、各アグリゲーションレベルに含まれるＰＤＣＣＨ  ｃａｎｄｉｄａｔｅ数を決定する。
【００６２】  前記スケール因子は、以下の式によって決定される。
キャリアＣＣ＃２のスケール因子Ｋ２について、
2022502951.tif 000027
キャリアＣＣ＃３のスケール因子Ｋ３について、
2022502951.tif 000028
それに対して、ＣＣ＃２に対応する探索空間ＳＳｓｃｈｅｄｕｌｅｄ，２は、
2022502951.tif 000029
ＣＣ＃３に対応する探索空間ＳＳｓｃｈｅｄｕｌｅｄ，３は、
2022502951.tif 000030
2022502951.tif 000031
【００６３】  ＣＣ＃２及びＣＣ＃３の具体的なリソース位置は、上位層シグナリングによって通知されるキャリア指示によって決定されてもよい。端末は、上記のように決定された探索空間内で、異なるキャリアをスケジューリングするＰＤＣＣＨを傍受する。
【００６４】  上記のスケール因子は、切り上げ又は切り下げによって得ることができるが、本開示の実施例では、これに限定されない。
【００６５】  本開示の上記実施例において、スケジューリングキャリアの探索空間内にあるアグリゲーションレベルのＰＤＣＣＨ  ｃａｎｄｉｄａｔｅ数が０ではなく、スケール因子で計算した後の被スケジューリングキャリアに対応する探索空間内の対応するアグリゲーションレベルのＰＤＣＣＨ  ｃａｎｄｉｄａｔｅ数が０である場合、該被スケジューリングキャリアに対応する探索空間内の該アグリゲーションレベルに１つのＰＤＣＣＨ  ｃａｎｄｉｄａｔｅが含まれると考えられる。
【００６６】  スケジューリングキャリアと被スケジューリングキャリアのサブキャリア間隔は、限定されず、即ち、スケジューリングキャリアのサブキャリア間隔は、被スケジューリングキャリアのサブキャリア間隔よりも大きくてもよい。
【００６７】  基地局は、端末のスケジューリングキャリアに大きな探索空間を設定する。更に、基地局及び端末は、ＣＩＦの値に基づいて、スケジューリングキャリア探索空間における被スケジューリングキャリアの探索空間の開始位置を決定し、上記方法で決定されたスケール因子に基づいて、対応する探索空間のサイズを決定する。
【００６８】  基地局は、前記対応する探索空間内で、被スケジューリングキャリアのＰＤＣＣＨを送信し、端末は、前記対応する探索空間内で、被スケジューリングキャリアのＰＤＣＣＨを傍受する。
【００６９】  本開示の上記実施例において、異なるキャリアのサブキャリア間隔及び異なるキャリア上の端末のブラインド検出能力に基づいて、被スケジューリングキャリアの探索空間サイズを決定することができ、追加的なシグナリングオーバーヘッドの導入を必要とせずに、柔軟な探索空間設定を実現する。
【００７０】  図４に示すように、本開示の実施例は、ネットワーク機器に応用されるキャリアの探索空間の決定方法を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定するステップ４１を含む。
【００７１】  ここで、前記スケール因子は、異なるサブキャリア上の端末のブラインド検出能力、及び／又は、スケジューリングキャリアと被スケジューリングキャリアのサブキャリア間隔の比例関係によって決定される。
【００７２】  ここで、前記スケール因子Ｋは、
2022502951.tif 000032
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000033
とを示す。
【００７３】  ここで、前記スケール因子Ｋは、
2022502951.tif 000034
ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリ
2022502951.tif 000035
を示す。
【００７４】  ここで、端末に対して設定したスケジューリングキャリアの探索空間及びスケール因子に基づいて、前記スケジューリングキャリア以外のキャリアの探索空間を決定することは、端末に対して設定したスケジューリングキャリアの探索空間及びスケール因子に基づいて、被スケジューリングキャリアの探索空間を決定することを含む。
【００７５】  ここで、端末に対して設定したスケジューリングキャリアの探索空間及びスケール因子に基づいて、被スケジューリングキャリアの探索空間を決定することは、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、被スケジューリングキャリアの探索空間内の各アグリゲーションレベルに含まれる候補ＰＤＣＣＨの数に基づいて、被スケジューリングキャリアの探索空間を形成することとを含む。
【００７６】  ここで、スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000036
グキャリアの各アグリゲーションレベルに含まれる候補ＰＤＣＣＨの数を決定することを含み、ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアの
2022502951.tif 000037
【００７７】  ここで、ＡＬＹ，ｓｃｈｅｄｕｌｉｎｇ≠０の場合、ＡＬＹ，ｓｃｈｅｄｕｌｅｄの最小値は、１である。
【００７８】  ここで、前記スケジューリングキャリアの探索空間は、被スケジューリングキャリアの探索空間よりも大きい。
【００７９】  ここで、キャリア指示フィールドＣＩＦの値に基づいて、前記スケジュールキャリアの探索空間における前記被スケジュールキャリアの探索空間の開始位置を決定する。
【００８０】  ここで、キャリアの探索空間の決定方法は、前記被スケジュールキャリアの探索空間内で前記被スケジューリングキャリアの物理下り制御チャネルＰＤＣＣＨを送信するステップ４２を更に含む。
【００８１】  本開示の上記実施例において、スケジューリングキャリアの探索空間内にあるアグリゲーションレベルのＰＤＣＣＨ  ｃａｎｄｉｄａｔｅ数が０ではなく、スケール因子で計算した後の被スケジューリングキャリアに対応する探索空間内の対応するアグリゲーションレベルのＰＤＣＣＨ  ｃａｎｄｉｄａｔｅ数が０である場合、該被スケジューリングキャリアに対応する探索空間内の該アグリゲーションレベルに１つのＰＤＣＣＨ  ｃａｎｄｉｄａｔｅが含まれると考えられる。
【００８２】  スケジューリングキャリアと被スケジューリングキャリアのサブキャリア間隔は、限定されず、即ち、スケジューリングキャリアのサブキャリア間隔は、被スケジューリングキャリアのサブキャリア間隔よりも大きくてもよい。
【００８３】  基地局は、端末のスケジューリングキャリアに大きな探索空間を設定する。更に、基地局及び端末は、ＣＩＦの値に基づいて、スケジューリングキャリア探索空間における被スケジューリングキャリアの探索空間の開始位置を決定し、上記方法で決定されたスケール因子に基づいて、対応する探索空間のサイズを決定する。
【００８４】  基地局は、前記対応する探索空間内で、被スケジューリングキャリアのＰＤＣＣＨを送信し、端末は、前記対応する探索空間内で、被スケジューリングキャリアのＰＤＣＣＨを傍受する。
【００８５】  なお、上記図３及び図４に示す実施例の方式は、同様に該実施例に適用し、本開示の該実施例は、異なるキャリアのサブキャリア間隔及び異なるキャリア上の端末のブラインド検出能力に基づいて、被スケジューリングキャリアの探索空間サイズを決定することができ、追加的なシグナリングオーバーヘッドの導入を必要とせずに、柔軟な探索空間設定を実現する。
【００８６】  図５に示すように、本開示の実施例は、端末５０を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定するプロセッサ５２を含む。
【００８７】  ここで、前記スケール因子は、異なるサブキャリア上の端末のブラインド検出能力、及び／又は、スケジューリングキャリアと被スケジューリングキャリアのサブキャリア間隔の比例関係によって決定される。
【００８８】  前記スケール因子Ｋは、
2022502951.tif 000038
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000039
とを示す。
【００８９】  ここで、前記スケール因子Ｋは、
2022502951.tif 000040
ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリ
2022502951.tif 000041
を示す。
【００９０】  本開示の１つの具体的な実施例において、プロセッサ５２は、具体的には、ネットワーク機器によってスケジューリングキャリアに対して設定された探索空間及びスケール因子に基づいて、被スケジューリングキャリアの探索空間を決定する。
【００９１】  具体的には、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定し、被スケジューリングキャリアの探索空間内の各アグリゲーションレベルに含まれる候補ＰＤＣＣＨの数に基づいて、被スケジューリングキャリアの探索空間を形成することとを含む。
【００９２】
2022502951.tif 000042
グキャリアの各アグリゲーションレベルに含まれる候補ＰＤＣＣＨの数を決定する。ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアのスケール因
2022502951.tif 000043
【００９３】  ここで、ＡＬＹ，ｓｃｈｅｄｕｌｉｎｇ≠０の場合、ＡＬＹ，ｓｃｈｅｄｕｌｅｄの最小値は、１である。
【００９４】  本開示の１つの具体的な実施例において、前記スケジューリングキャリアの探索空間は、被スケジューリングキャリアの探索空間よりも大きい。スケジューリングキャリアと被スケジューリングキャリアのサブキャリア間隔は、限定されず、即ち、スケジューリングキャリアのサブキャリア間隔は、被スケジューリングキャリアのサブキャリア間隔よりも大きくてもよいし、小さくてもよい。
【００９５】  ここで、キャリア指示フィールドＣＩＦの値に基づいて、前記スケジュールキャリアの探索空間における前記被スケジュールキャリアの探索空間の開始位置を決定する。上記方法により決定されたスケール因子に基づいて、対応する探索空間のサイズを決定する。
【００９６】  本開示の１つの具体的な実施例において、端末は、前記被スケジュールキャリアの探索空間内で前記被スケジューリングキャリアの物理下り制御チャネルＰＤＣＣＨを傍受するトランシーバ５１を更に含む。
【００９７】  該端末の実施例は、上記図１に示す方法に対応する端末であり、上記図１〜図３に示す実施例の全ての実施形態は、いずれも該実施例に適用し、同じ技術効果を奏することもできる。該端末は、更にメモリ５３を含んでもよい。該プロセッサ５２、メモリ５３は、いずれもバスインタフェースを介してトランシーバ５１と通信可能に接続される。プロセッサ５２の機能は、トランシーバ５１によって実現可能であり、トランシーバ５１の機能は、プロセッサ５２によって実現可能である。
【００９８】  本開示の実施例は、キャリアの探索空間の決定装置を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する処理モジュールを含む。
【００９９】  なお、上記図１〜図３に示す実施例は、いずれも該実施例に適用し、同じ効果を奏することもできる。
【０１００】  本開示の実施例は、端末を更に提供し、クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する機能を実行するように設定されたプロセッサを含む。
【０１０１】  なお、上記図１〜図３に示す実施例は、いずれも該実施例に適用し、同じ効果を奏することもできる。
【０１０２】  図６に示すように、本開示の実施例は、ネットワーク機器６０を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定するプロセッサ６２を含む。
【０１０３】  ここで、前記スケール因子は、異なるサブキャリア上の端末のブラインド検出能力、及び／又は、スケジューリングキャリアと被スケジューリングキャリアのサブキャリア間隔の比例関係によって決定される。
【０１０４】  ここで、前記スケール因子Ｋは、
2022502951.tif 000044
り、ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の
2022502951.tif 000045
とを示す。
【０１０５】  ここで、前記スケール因子Ｋは、
2022502951.tif 000046
ここで、Ｍｃａｐ，ｓｃｈｅｄｕｌｅｄは、被スケジューリングキャリア上の端末のブラインド検出能力であり、Ｍｃａｐ，ｓｃｈｅｄｕｌｉｎｇは、スケジューリングキャリア上の端末のブラインド検出能力であり、ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリ
2022502951.tif 000047
を示す。
【０１０６】  ここで、前記プロセッサ６２は、具体的には、端末に対して設定したスケジューリングキャリアの探索空間及びスケール因子に基づいて、被スケジューリングキャリアの探索空間を決定する。
【０１０７】  ここで、端末に対して設定したスケジューリングキャリアの探索空間及びスケール因子に基づいて、被スケジューリングキャリアの探索空間を決定することは、スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、被スケジューリングキャリアの探索空間内の各アグリゲーションレベルに含まれる候補ＰＤＣＣＨの数に基づいて、被スケジューリングキャリアの探索空間を形成することとを含む。
【０１０８】  ここで、スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000048
2022502951.tif 000049
グキャリアの各アグリゲーションレベルに含まれる候補ＰＤＣＣＨの数を決定することを含み、ここで、ＡＬＹ，ｓｃｈｅｄｕｌｅｄは、被スケジューリングキャリアの各アグリゲーションレベルに含まれる候補ＰＤＣＣＨの数であり、Ｋは、スケジューリングキャリアの
2022502951.tif 000050
【０１０９】  ここで、ＡＬＹ，ｓｃｈｅｄｕｌｉｎｇ≠０の場合、ＡＬＹ，ｓｃｈｅｄｕｌｅｄの最小値は、１である。
【０１１０】  ここで、前記スケジューリングキャリアの探索空間は、被スケジューリングキャリアの探索空間よりも大きい。
【０１１１】  ここで、キャリア指示フィールドＣＩＦの値に基づいて、前記スケジュールキャリアの探索空間における前記被スケジュールキャリアの探索空間の開始位置を決定する。
【０１１２】  上記ネットワーク機器は、前記被スケジュールキャリアの探索空間内で前記被スケジューリングキャリアの物理下り制御チャネルＰＤＣＣＨを送信するトランシーバ６１を更に含む。
【０１１３】  該ネットワーク機器は、更にメモリ６３などを含んでもよい。トランシーバ６１とメモリ６３、及びトランシーバ６１とプロセッサ６２は、いずれもバスインタフェースを介して通信可能に接続される。プロセッサ６２の機能は、トランシーバ６１によって実現可能であり、トランシーバ６１の機能は、プロセッサ６２によって実現可能である。
【０１１４】  なお、上記ネットワーク機器は、基地局などである。上記図２〜図４に示す方法の全ての実施形態、いずれも該実施例に適用し、同じ効果を奏することもできる。
【０１１５】  本開示の実施例は、ビーム数設定装置を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む。
【０１１６】  なお、上記図２〜図４に示す方法の全ての実施形態は、いずれも該実施例に適用し、同じ効果を奏することもできる。
【０１１７】  本開示の実施例は、ネットワーク機器を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する機能を実行するように設定されたプロセッサを含む。なお、上記図２〜図４に示す方法の全ての実施形態は、いずれも該実施例に適用し、同じ効果を奏することもできる。
【０１１８】  本開示の実施例は、コマンドを含むコンピュータ記憶媒体を更に提供し、前記コマンドがコンピュータで実行されると、上記図１又は図４に示す方法をコンピュータに実行させる。
【０１１９】  本開示の実施例は、異なるキャリアのサブキャリア間隔、及び異なるキャリア上の端末のブラインド検出能力に基づいて、スケジューリングされたキャリアの探索空間サイズを決定することができ、追加のシグナリングオーバーヘッドを導入する必要なく、柔軟な探索空間設定を可能にする。
【０１２０】  本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１２１】  記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１２２】  本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【０１２３】  以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１２４】  また、本開示の各実施例における各機能的ユニットは、１つの処理ユニットに一体化されていてもよいし、物理的に別々に設けられていてもよいし、２つ以上が一体化されてもよい。
【０１２５】  前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１２６】  なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１２７】  従って、本開示の目的は、任意の計算装置で１つ又は一連のプログラムを実行することによっても実現される。前記計算装置は、周知されている汎用装置である。したがって、本開示の目的は、前記方法又は装置を実現するプログラムコードを含むプログラムプロダクトの提供のみでも実現される。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１２８】  以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2022502951.tif 000064
【図２】
2022502951.tif 000065
【図３】
2022502951.tif 000066
【図４】
2022502951.tif 000067
【図５】
2022502951.tif 000068
【図６】
2022502951.tif 000069
【手続補正書】
【提出日】令和3年4月2日(2021.4.2)
【手続補正１】
【補正対象書類名】明細書
【補正対象項目名】００３３
【補正方法】変更
【補正の内容】
【００３３】  本開示の実施例は、キャリアの探索空間の決定装置を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む。
【手続補正２】
【補正対象書類名】明細書
【補正対象項目名】０１１５
【補正方法】変更
【補正の内容】
【０１１５】  本開示の実施例は、キャリアの探索空間の決定装置を更に提供し、端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む。
【手続補正３】
【補正対象書類名】特許請求の範囲
【補正対象項目名】全文
【補正方法】変更
【補正の内容】
【特許請求の範囲】
【請求項１】
端末に応用されるキャリアの探索空間の決定方法であって、
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定することを含む、キャリアの探索空間の決定方法。
【請求項２】
前記スケール因子は、
異なるサブキャリア上の端末のＰＤＣＣＨ傍受能力、及び／又は、スケジューリングキャリアと被スケジューリングキャリアのサブキャリア間隔の比例関係によって決定される、請求項１に記載のキャリアの探索空間の決定方法。
【請求項３】
前記スケール因子Ｋは、
2022502951.tif 000070
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
2022502951.tif 000071
リアの探索空間の決定方法。
【請求項４】
前記スケール因子Ｋは、
2022502951.tif 000072
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
ＳＣＳｓｃｈｅｄｕｌｅｄは、被スケジューリングキャリア上のサブキャリア間隔であり、
ＳＣＳｓｃｈｅｄｕｌｉｎｇは、スケジューリングキャリア上のサブキャリア間隔であり、
2022502951.tif 000073
リアの探索空間の決定方法。
【請求項５】
ネットワーク機器によってスケジューリングキャリアに対して設定された探索空間及びスケール因子に基づいて、前記スケジューリングキャリア以外のキャリアの探索空間を決定することは、
ネットワーク機器によってスケジューリングキャリアに対して設定された探索空間及びスケール因子に基づいて、被スケジューリングキャリアの探索空間を決定することを含み、
ネットワーク機器によってスケジューリングキャリアに対して設定された探索空間及びスケール因子に基づいて、被スケジューリングキャリアの探索空間を決定することは、
スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、
被スケジューリングキャリアの探索空間内の各アグリゲーションレベルに含まれる候補ＰＤＣＣＨの数に基づいて、被スケジューリングキャリアの探索空間を形成することとを含む、請求項１に記載のキャリアの探索空間の決定方法。
【請求項６】
スケジューリングキャリア内の各アグリゲーションレベルに含まれる候補物理下り制御チャネルＰＤＣＣＨの数及びスケール因子に基づいて、被スケジューリングキャリアの各アグリゲーションレベルに含まれる候補ＰＤＣＣＨの数を決定することは、
2022502951.tif 000074
ーションレベルに含まれる候補ＰＤＣＣＨの数を決定することを含み、
ここで、ＡＬＹ，ｓｃｈｅｄｕｌｅｄは、被スケジューリングキャリアの各アグリゲーションレベルに含まれる候補ＰＤＣＣＨの数であり、
Ｋは、スケジューリングキャリアのスケール因子であり、
2022502951.tif 000075
リアの探索空間の決定方法。
【請求項７】
ネットワーク機器に応用されるキャリアの探索空間の決定方法であって、
端末に対してクロスキャリアスケジューリングに設定した場合、端末に対して設定したスケジューリングキャリアの探索空間及びスケール因子に基づいて、前記スケジューリングキャリア以外のキャリアの探索空間を決定することを含む、キャリアの探索空間の決定方法。
【請求項８】
前記スケール因子は、
異なるサブキャリア上の端末のＰＤＣＣＨ傍受能力、及び／又は、スケジューリングキャリアと被スケジューリングキャリアのサブキャリア間隔の比例関係によって決定される、請求項７に記載のキャリアの探索空間の決定方法。
【請求項９】
前記スケール因子Ｋは、
2022502951.tif 000076
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
2022502951.tif 000077
又は、
前記スケール因子Ｋは、
2022502951.tif 000078
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリア上のサブキャリア間隔であり、
2022502951.tif 000079
リアの探索空間の決定方法。
【請求項１０】
端末に対して設定したスケジューリングキャリアの探索空間及びスケール因子に基づいて、前記スケジューリングキャリア以外のキャリアの探索空間を決定することは、
端末に対して設定したスケジューリングキャリアの探索空間及びスケール因子に基づいて、被スケジューリングキャリアの探索空間を決定することを含み、
端末に対して設定したスケジューリングキャリアの探索空間及びスケール因子に基づいて、被スケジューリングキャリアの探索空間を決定することは、
スケジューリングキャリア内の各アグリゲーションレベルに含まれる候補物理下り制御チャネルＰＤＣＣＨの数及びスケール因子に基づいて、被スケジューリングキャリアの探索空間内の各アグリゲーションレベルに含まれる候補ＰＤＣＣＨの数を決定することと、
被スケジューリングキャリアの探索空間内の各アグリゲーションレベルに含まれる候補ＰＤＣＣＨの数に基づいて、被スケジューリングキャリアの探索空間を形成することとを含む、請求項７に記載のキャリアの探索空間の決定方法。
【請求項１１】
クロスキャリアスケジューリングに設定された場合、ネットワーク機器によって設定されたスケジューリングキャリアの探索空間及びスケール因子に基づいて、前記スケジューリングキャリア以外のキャリアの探索空間を決定する処理モジュールを含む、キャリアの探索空間の決定装置。
【請求項１２】
前記スケール因子は、
異なるサブキャリア上の端末のＰＤＣＣＨ傍受能力、及び／又は、スケジューリングキャリアと被スケジューリングキャリアのサブキャリア間隔の比例関係によって決定される、請求項１１に記載のキャリアの探索空間の決定装置。
【請求項１３】
前記スケール因子Ｋは、
2022502951.tif 000080
、
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
2022502951.tif 000081
又は、
前記スケール因子Ｋは、
2022502951.tif 000082
ここで、
Ｍｃａｐ，ｓｃｈｅｄｕｌｅｄは、被スケジューリングキャリア上の端末のＰＤＣＣＨ傍受能力であり、
Ｍｃａｐ，ｓｃｈｅｄｕｌｉｎｇは、スケジューリングキャリア上の端末のＰＤＣＣＨ傍受能力であり、
ＳＣＳｓｃｈｅｄｕｌｅｄは、被スケジューリングキャリア上のサブキャリア間隔であり、ＳＣＳｓｃｈｅｄｕｌｉｎｇは、スケジューリングキャリア上のサブキャリア間隔であり、
2022502951.tif 000083
リアの探索空間の決定装置。
【請求項１４】
端末に対してクロスキャリアスケジューリングに設定した場合、端末に対して設定したスケジューリングキャリアの探索空間及びスケール因子に基づいて、前記スケジューリングキャリア以外のキャリアの探索空間を決定する処理モジュールを含む、キャリアの探索空間の決定装置。
【請求項１５】
前記スケール因子は、
異なるサブキャリア上の端末のＰＤＣＣＨ傍受能力、及び／又は、スケジューリングキャリアと被スケジューリングキャリアのサブキャリア間隔の比例関係によって決定される、請求項１４に記載のキャリアの探索空間の決定装置。
【国際調査報告】
2022502951.tif 000084
2022502951.tif 000085
2022502951.tif 000086
2022502951.tif 000087
2022502951.tif 000088